(57)【要約】【課題】間仕切り壁等の建物壁部に棚を嵌め込むことによって、建物壁部を有効に利用することの出来る技術を提供する。【解決手段】建物の壁部に嵌め込まれる棚であって、縦フレーム２及び横フレーム３からなる枠体４と、縦フレーム２の向かい合う内側面に縦方向に延設された複数本の平行縦溝と、該縦溝に嵌め込まれたガラス製背板６と、を有する。【選択図】　　図１
2004052443.tif 000002
【特許請求の範囲】
【請求項１】
建物の壁部に嵌め込まれる棚であって、縦フレーム及び横フレームからなる枠体と、前記縦フレームの向かい合う内側面に縦方向に延設された複数本の平行縦溝と、前記縦溝に嵌め込まれたガラス製背板と、を有することを特徴とする棚。
【請求項２】
前記背板が、棚の奥行き方向に凸の湾曲を有する曲げガラスであることを特徴とする請求項１記載の棚。
【請求項３】
背板に吸着させるための吸盤と該吸盤を背板に吸着させた状態でガラス製棚板を支持する載置面とを有する棚支持具を前記背板に吸着させ、前記棚板の荷重の少なくとも一部を該棚支持具によって支持させていることを特徴とする請求項１記載の棚。
【発明の詳細な説明】
【０００１】
【発明の属する技術分野】
本発明は、建物壁部に嵌め込む形式の棚であって、ガラス板を用いて装飾性を高めた棚に関するものである。
【０００２】
【従来の技術】
従来、建物壁部、特に間仕切り壁、トイレの壁、廊下の壁、部屋の壁等は、単に仕切りとしてのみ用いられ、壁面が占有する部分を他に利用するということは少なかった。
【０００３】
【発明が解決しようとする課題】
そこで、本発明は、間仕切り壁等の建物壁部に棚を嵌め込むことによって、建物壁部を有効に利用することの出来る技術を提供することを目的とする。
【０００４】
【課題を解決するための手段】
上記目的を達成するため、本発明に係る棚は、建物の壁部に嵌め込まれる棚であって、縦フレーム及び横フレームからなる枠体と、前記縦フレームの向かい合う内側面に縦方向に延設された複数本の平行縦溝と、前記縦溝に嵌め込まれたガラス製背板と、を有することを特徴とし、複数本の平行縦溝の中から所望の縦溝を選択して背板を嵌めることができ、背板の嵌め位置を自由に選択することができる。前記背板は、棚の奥行き方向に凸の湾曲を有する曲げガラスとして意匠性を高めることが好ましい。
【０００５】
また、背板に吸着させるための吸盤と該吸盤を背板に吸着させた状態でガラス製棚板を支持する載置面とを有する棚支持具を前記背板に吸着させ、前記棚板の荷重の少なくとも一部を該棚支持具によって支持させることができる。
【０００６】
【発明の実施の形態】
本発明に係る棚の好ましい実施形態について以下に図１〜６を参照して説明する。なお、全図を通し、同様の構成部分には同符号を付した。図１は棚の斜視図、図２は正面図、図３は図２のＡ−Ａ線断面図、図４は図２のＢ−Ｂ線断面図、図５は棚支持具を拡大して示す図、図６はストッパーを拡大して示す正面図である。
【０００７】
本発明に係る棚１は、建物の壁部に嵌め込まれる棚であって、図１に示すように、縦フレーム２及び横フレーム３を組み立ててなる枠体４と、縦フレーム２の向かい合う内側面に縦方向に延設された複数本の平行縦溝５と、縦溝５に嵌め込まれたガラス製背板６と、を有している。
【０００８】
枠体４を構成する縦フレーム２及び横フレーム３は、アルミフレーム等の剛性の高いものが好ましい。背板６及び棚板７は、例えば、４ｍｍ又は５ｍｍのフロート板ガラス又は該板ガラスを強化した強化ガラスを用いることができ、透明ガラス板、半透明部分或いは不透明部分を有するガラス板、或いは全面又は一部を磨りガラス等とすることができる。ガラス板の半透明部分又は不透明部分は、例えば、透明のフロート板ガラスの全面又は一部に、ガラス飛散防止用のカラーフィルムを貼付したり、或いは、セラミックインクをスクリーン印刷する等によって、得ることができる。背板６は、曲げの無いガラス板でもよいが、意匠性を高めるために、棚の奥行き方向に凸の湾曲を有する曲げガラスが好ましい。棚板７は、背板の形状（曲率）に合わせた形状とされる。
【０００９】
縦フレーム２の内側に形成される平行縦溝５は、背板６が嵌る寸法及び形状を有するものであれば良いが、曲げガラスの嵌め込みを考慮して、図３に示すような断面円弧状とすることが好ましい。
【００１０】
棚板７を載置して支持するための載置面８と背板６に吸着させるための吸盤９とを有する棚支持具１０が、背板６に吸着している。図５に示す例では、両端開放の凹溝１１が形成されていて、凹溝１１の一方の溝側面が載置面８を構成している。　棚支持具１０は、吸盤９を含む全体を透明なプラスチックで形成することによって、目立たないようにすることが好ましい。
【００１１】
また、棚板７の前端縁に係止して棚板７が手前に飛び出さないようにするストッパー１２が、縦フレーム２にボルト１５にて固定されている。ストッパー１２は、棚板７の前縁を支持する支持面１３を備えることができ、図示の例では、一端開放で他端閉鎖の凹溝１４が形成されていて、凹溝１４の一方の溝側面によって支持面１３を構成し、凹溝１４の閉鎖側面１４ａによって棚板７の前端縁を形成するようになっている。なお、ストッパー１２は、縦フレーム２にビス止めするのではなく、棚支持具１０と同様に、吸盤（不図示）を設けて背板６に吸着させるようにしても良い。
【００１２】
図示の例では、所定間隔を隔てて背板６に吸着させた２個の棚支持具１０の載置面と、左右一対のストッパー１２の支持面１３とによって、一枚の棚板７を支持している。ストッパー１２は、支持面１３を備えない構成とすることもでき、その場合は、例えば、図示しないが、左右のストッパー１２の近傍の各々に追加の棚支持具１０を吸着させることにより、棚板７を安定して支持することができる。
【００１３】
上記のような棚１は、背板６を嵌める複数本の平行縦溝を形成しているから、棚板７の嵌め位置を自由に選択することができる。特に、背板６が曲げガラスであって、種々の曲率を有する複数の種類がある場合において、その曲率に応じて嵌め位置を選択できる。例えば、曲率が小さいときは、奥の側の平行縦溝に嵌め、曲率が大きいときは、手前の側の平行縦溝に嵌める。また、棚１の横フレーム３の長さも種々のものがあり、その長さに応じた曲率の曲げガラスでなる背板６を使用し、また、複数の平行縦溝５から所望の縦溝を選んでそこに嵌めることができる。
【００１４】
上記構成を有する棚１は、建物の間仕切り壁等の建物壁部に開口部を設けて、該開口部に嵌め込まれ、固定される。枠体４の厚みは、嵌め込まれる壁部の厚みとほぼ同等に設計することが意匠的にも収まりが良く、好ましいが、出窓的に壁面から持ち出すように設計することもできる。間仕切り壁に凹部（不図示）を形成して、該凹部に棚１を嵌め込むこともできる。
【００１５】
なお、棚１が嵌め込まれる建物壁部は、間仕切り壁に限らず、建物外壁であっても良いが、その場合、コーキングを十分に施すことが必要である。
【００１６】
こうして建物の壁部に埋設された棚は、従来では建物壁部の有効利用されていなかった部分を有効に利用できるし、壁部に開口部を設けて棚を嵌め込む場合は、ガラス製背板を通して隣の部屋等を透視できることから開放感を得ることができ、デザイン的にも優れたものとなる。
【図面の簡単な説明】
【図１】本発明に係る棚の一実施形態を示す斜視図である。
【図２】図１の棚を示す正面図である。
【図３】図２のＡ−Ａ線に沿う部分断面図である。
【図４】図２のＢ−Ｂ線に沿う断面図である。
【図５】本発明の構成要素である棚支持具を拡大して示し、図５（ａ）は正面図、図５（ｂ）は側面図、図５（ｃ）は図５（ａ）のＣ−Ｃ線に沿う断面図である。
【図６】本発明の構成要素であるストッパーを拡大して示す正面図である。
【符号の説明】
１　棚
２　縦フレーム
３　横フレーム
４　枠体
５　縦溝
６　背板
７　棚板
８　載置面
１０　棚支持具
【図１】
2004052443.tif 000003
【図２】
2004052443.tif 000004
【図３】
2004052443.tif 000005
【図４】
2004052443.tif 000006
【図５】
2004052443.tif 000007
【図６】
2004052443.tif 000008